(57)【要約】【課題】本発明は既存の建築物のリフォ−ムに適した排水システムを提供するものであり、水廻り機器の配置の変更、増設、大型化に対応するリフォ−ム排水システムとなったもので、集合住宅のリフォ−ムには最適なシステムが提供できた。【解決手段】集合住宅をリフォ−ムする際の排水システムであって、スラブ上に二重床を設置する工程、排水立て管を共用部分に新設する工程、新たな水廻り機器にサイフォン排水管を接続する工程、サイフォン排水管をスラブ上に無勾配で敷設する工程、サイフォン排水管の先端を水頭差をもって前記排水立て管に合流する工程、とからなるサイフォン式リフォ−ム排水システム。１１ａ、１１ｂ、１１ｃ‥新設の水廻り機器、１２‥新設の排水立て管、１３‥新設のチャンバ−、１４‥新設のサイフォン排水管、１５‥新設の通気管、ＰＳ‥パイプシャフトスペ−ス。【選択図】図４
2008063763.tif 000002
【特許請求の範囲】
【請求項１】
集合住宅をリフォ−ムする際の排水システムであって、スラブ上に二重床を設置する工程、新たな水廻り機器にサイフォン排水管を接続する工程、サイフォン排水管をスラブ上に無勾配で敷設する工程、サイフォン排水管の先端を水頭差をもって敷設する工程、とからなることを特徴とするサイフォン式リフォ−ム排水システム。
【請求項２】
既存の水廻り機器におけるスラブ段差を埋め、スラブ全体をフラットとする工程を付加した請求項１記載のサイフォン式リフォ−ム排水システム。
【請求項３】
新たな水廻り機器とサイフォン排水管の間に、排水導管にて貯留槽を接続する工程を付加した請求項１又は２記載のサイフォン式リフォ−ム排水システム。
【請求項４】
貯留槽に通気管を敷設する工程を付加した請求項３記載のサイフォン式リフォ−ム排水システム。
【請求項５】
排水立て管を共用部分に新設する工程を付加し、更に、サイフォン排水管の先端を水頭差をもって当該排水立て管に合流する工程を付加した請求項１乃至４いずれか１記載のサイフォン式リフォ−ム排水システム。
【請求項６】
集合住宅をリフォ−ムする際の排水システムであって、既存の水廻り機器におけるスラブ段差を埋め、スラブ全体をフラットとする工程、スラブ上に二重床を設置する工程、排水立て管を共用部分に新設する工程、新たな水廻り機器に排水導管を接続し、かかる排水導管を貯留槽に接続する工程、貯留槽にサイフォン排水管を接続する工程、サイフォン排水管をスラブ上に無勾配で敷設する工程、サイフォン排水管の先端を水頭差をもって前記排水立て管に合流する工程、貯留槽に通気管を敷設する工程、とからなることを特徴とするサイフォン式リフォ−ム排水システム。
【発明の詳細な説明】
【技術分野】
【０００１】
近年、既設の集合住宅のリフォ−ムが広く行われており、部屋や間仕切りの問題は勿論であるが、これに伴って水廻り関係が解決される必要がある。即ち、水廻り機器の交換だけでなく、水廻り機器自体の大型化が要求されている。更に、水廻り機器の設置位置を既設の位置と大きく変えることが要求されることが多く、これに対応する工法の開発が要請されている。
【０００２】
しかるに、集合住宅においてリフォ−ムの際、最もネックとなっているのが水廻り機器からの排水の問題である。即ち、排水管に限って言えば、排水の勾配や管径の問題、スラブ段差の問題から良いリフォ−ム施工工法がなかった。そのため、リフォ−ムといっても水廻り機器の配置を大幅に変更することはかなり難しく、又、コストの面からいっても一般的には排水管を更新することが主であった。その配水管にあっても、水廻り機器が大きくなっているのに対してそれに対応する排水システムにすることができにくいことはよくあることである。
【０００３】
又、既設の物件においては、敷設する各種管のうち管径の細い箇所がありこれによる弊害は多いが、特に排水立て管の径が細い場合の弊害として大量に排水があった際等は、下階においてトラップ部分で破封してしまったり、噴き出しが起きてしまうという現象が起こっていた。これを改善するためには、排水立て管の径を太くする必要があるが、この際にも問題があり、排水立て管の設置されているスリ−ブが小さいことや、パイプシャフトスペ−ス（ＰＳ）自体が小さいことによって、径の大きい排水立て管の敷設できないという問題である。
【０００４】
更に、リフォ−ムによって新しい機器を設置する場合には、水廻り器具が設置されていたスラブ段差の部分しか新しい器具が置けなかったので、その設置面積が制限されているため、新しく配置する器具に関してもリフォ−ム前と余り変わらない大きさの水廻り器具しか設置できなかったのが実態である。
【０００５】
このように、排水処理の面で問題があることによって既設の建物のリフォ−ムが進められず、ＲＣであれば躯体は６０年、場合によっては１００年もつ建物が排水の面がネックになり、リフォ−ムができずに建物として利用価値が低くなり、３０年程度で取り壊すことがよくあった。
【発明の開示】
【発明が解決しようとする課題】
【０００６】
集合住宅において、特に水廻り機器からの排水システムを含めたリフォ−ムに関しては十分なシステムがなく、自由な設計によるリフォ−ムが行われている訳ではなかった。本発明は、特に既設の集合住宅のリフォ−ムに最適な排水システムを提供することを主たる目的とするものである。
【課題を解決するための手段】
【０００７】
本発明の要旨は、請求項１に記載のように、集合住宅をリフォ−ムする際の排水システムであって、スラブ上に二重床を設置する工程、新たな水廻り機器にサイフォン排水管を接続する工程、サイフォン排水管をスラブ上に無勾配で敷設する工程、サイフォン排水管の先端を水頭差をもって敷設する工程、とからなることを特徴とするサイフォン式リフォ−ム排水システムにかかるものである。
【０００８】
そして、より具体的には、請求項６に記載のように、集合住宅をリフォ−ムする際の排水システムであって、既存の水廻り機器におけるスラブ段差を埋め、スラブ全体をフラットとする工程、スラブ上に二重床を設置する工程、排水立て管を共用部分に新設する工程、新たな水廻り機器に排水導管を接続し、かかる排水導管を貯留槽（以下、チャンバ−という）に接続する工程、チャンバ−にサイフォン排水管を接続する工程、サイフォン排水管をスラブ上に無勾配で敷設する工程、サイフォン排水管の先端を水頭差をもって前記排水立て管に合流する工程、チャンバ−に通気管を敷設する工程、とからなることを特徴とするサイフォン式リフォ−ム排水システムにかかるものである。
【発明の効果】
【０００９】
本発明は集合住宅のリフォ−ムに適した排水システムであって、請求項１及び請求項６の記載の発明は、水廻り機器の配置を自由な設計によるリフォ−ムが可能となったもので、水廻り機器の容量を大きくした際にも十分対応可能なシステムとなったものである。
【発明を実施するための最良の形態】
【００１０】
今までの排水システムをリフォ−ムする場合の問題点は前記した通りであるが、これには更に問題があることも事実であり、その一つは、水廻り機器の設置場所の変更についてである。現在まで広く行われている排水システムにあっては、重力による排水が基本である。即ち、床下とコンクリ−トスラブの狭い隙間に勾配を付けて排水管を這わせるが、排水立て管から遠方の位置に水廻り機器を配置しようとする場合には、排水管を一定の勾配で敷設する必要があるため、床下とコンクリ−トスラブの間を勾配の分だけ高くする必要があり、このことは逆にいえば、縦方向の居住空間を狭めてしまうこととなってしまうという大きな欠点がある。
【００１１】
本発明は以上のような既存の集合住宅のリフォ−ムにあって、全ての課題を解決する排水システムを提供するものであり、請求項１に記載のように、スラブ上に二重床を設置する工程、新たな水廻り機器にサイフォン排水管を接続する工程、サイフォン排水管をスラブ上に無勾配で敷設する工程、サイフォン排水管の先端を水頭差をもって敷設する工程、とからなるリフォ−ム排水システムにかかり、より具体的には、かかるシステムに、更に、請求項６に記載したように、既存の水廻り機器におけるスラブ段差を埋め、スラブ全体をフラットとする工程（請求項２）、排水立て管を共用部分に新設する工程（請求項５）、新たな水廻り機器に排水導管を接続し、かかる排水導管をチャンバ−に接続する工程及びチャンバ−にサイフォン排水管を接続する工程（請求項３）、サイフォン排水管の先端を水頭差をもって前記排水立て管に合流する工程（請求項５）、貯留槽に通気管を敷設する工程（請求項４）、とからなる排水システムを提案するものである。
【００１２】
尚、本発明で採用する排水システムは、基本的にはサイフォン排水システムを採用するものであり、特許文献１、２にその詳細が提案されている。
【００１３】
【特許文献１】特開２０００−２９７４４７号公報
【００１４】
【特許文献２】特開２００３−２０１７２７号公報
【００１５】
かかるサイフォン排水システムの概要を図１によって述べれば、ＰＳ内に設置された排水立て管２０と水廻り器具２１に接続されたサイフォン排水管２２とからなり、このサイフォン排水管２２が水頭差Ｈｓをもって排水立て管２０に接続された排水システムであり、水頭差Ｈｓによってサイフォン排水管２２内の水が負圧吸引力によって排水がなされるものであり、サイフォン排水管２２はスラブＳ上を無勾配で敷設されるものである。
【００１６】
さて、本発明のサイフォン式リフォ−ム排水システムの具体例（請求項６）をもって説明すれば、集合住宅をリフォ−ムするに当たり、ネックとなっていた排水システムを、既設の水廻り機器におけるスラブ段差部分をモルタルやコンクリ−ト等で埋め、又は箱状のものを敷き詰めて、スラブ全体を平坦にし、その後のサイフォン排水管の敷設に適するようにスラブ面を処理する。一方、スラブ面に対して所定の高さを保持する二重床としてサイフォン排水管の敷設スぺ−スを確保する。
【００１７】
そして、従来の排水立て管とは別の排水立て管を別途新設するものであり、好ましくはこれを集合住宅の共用部分に新設する。好ましくは建物の外側の共用部分に排水立て管を新設し、これに各戸からのサイフォン排水管を水頭差をもって接続してなるものである。このため、他人の専有部分を通ることなく、サイフォン排水管の敷設が可能となったものである。勿論、従来の排水立て管よりもサイズの大きい排水立て管を無理なく備えることが可能となったものであり、既設の水廻り機器よりも大きい水廻り機器やその数の増加に対処することも可能となったものである。尚、室内のＰＳが排除された場合には、その分室内が広くなるという利点がある。
【００１８】
尚、排水立て管のサイズは、既存の建築物においては、管径が小さいことが多いので、再度計算した上で、十分なサイズのものを設置することが必要となるが、既設の排水立て管の位置にサイズアップした排水立て管を設置し直そうとするのは前述したように困難であり、外部であれば設置が可能である。
【００１９】
ただし、同じ要領で勾配排水で排水した場合には、サイフォン排水管の横引きの距離の関係上建築物の外部にまで排水をもってこれないので敷設ができないことがある。又、通常のサイフォン排水システムで排水した場合でも横引き管の長さの制限があり、前記と同様に敷設できないことがある。この欠点を改良するのがチャンバ−方式のサイフォン排水システムである。即ち、好ましくは、水廻り機器とサイフォン排水管との間に排水を一時貯留するためのチャンバ−を備えるのがよく、これによって一度に大量の排水があったとしても従来の不具合を解消したものである。チャンバ−を備えた場合、通気管を設置するのがよく、これによって排水時の騒音の低減が図られることとなる。通気管は排水立て管に接続されるのが一般的である。
【実施例】
【００２０】
以下、実施例をもって本発明を更に説明する。
図２は本発明の請求項６の工程によって構成される排水システムであり、第１〜第８工程からなっている。尚、この工程は必ずしもこの順に実施されるものではなく、その順序逆となっても構わない。勿論、実際の施工にあって、不要な工程が省かれることあり、例えば、新たなサイフォン排水管を敷設するのにスラブ面をフラットにする必要がない場合にはこの工程を省略することがある。請求項１に記載するように第２、第３、第４〜第５、第６、第７工程が必須の工程である。
【００２１】
図３はリフォ−ム前の既存の排水システムの一例を示す平面図であり、１ａ、１ｂ、１ｃは夫々水廻り機器であり、２はＰＳ内に配置された排水立て管である。かかるＰＳは住戸内のスぺ−ス内に配置されている。そして、各水廻り機器１ａ、１ｂ、１ｃからの排水は夫々の機器からの排水導管によって一つに合流し、かかる排水管３は床下において所定の勾配が付けられて敷設され、排水立て管２に合流・接続されている。そして、通常は水廻り機器のうち、例えば、浴槽、トイレ、洗濯機等にあっては、コンクリ−トスラブに凹みが形成され、この凹み内に各水廻り機器が配置されるものである。これは各水廻り機器に付属するトラップの関係、排水管に勾配を付ける関係、等から凹みが形成されているものである。従って、従来タイプを継承するリフォ−ムにあっては、水廻り機器の配置は基本的には変更が殆ど利かないという大きな問題があったのである。
【００２２】
図４は本発明のサイフォン式リフォ−ム排水システムを示す平面図である。この図にあって、１１ａ、１１ｂ、１１ｃは水廻り機器であり、夫々図３の１ａ、１ｂ、１ｃの水廻り機器と同種の水廻り機器である。１２は住戸内ではなく、建物の共用部分に新たに配設された排水立て管である。
【００２３】
以上のように本発明のシステムにあっては、旧来の排水立て管２は不要となり、基本的にはＰＳ部分が取り払うことも可能となる。又、図示はしないが、旧来のスラブ上に形成した凹みは不要となるのでこれはモルタルやコンクリ−トにて埋めてしまうことが望まれる。
【００２４】
さて、この例では各水廻り機器１１ａ、１１ｂ、１１ｃからの排水は排水導管によって一旦チャンバ−１３に溜められ、このチャンバ−１３よりサイフォン排水管１４がスラブ上を無勾配にて敷設され、これが共用部分に新設された排水立て管１２へ水頭差をもって接続されるものである。
【００２５】
かかるサイフォン排水管１４は直線状に敷設する必要はなく、曲げることは自由であり、このため、障害物があったとしてもこれを簡単に回避することができるという特徴がある。チャンバ−１３には排水の際のトラップの噴き出しや、封水切れをなくすため、通気管１５が備えられているのがよく、一般には通気管１５の先端は排水立て管１２に接続されるものである。尚、共用部分に新設された排水立て管１２には複数の住戸からの排水が行われることが可能であることは勿論である。
【００２６】
図５は従来の勾配排水システムと本発明のサイフォン排水システムの一例を示す断面図であり、図５の（ａ）は前者の、そして図５の（ｂ）は後者の断面図である。
図５（ａ）にあって、コンクリ−トスラブＳに凹みＳＡが形成され、この部位にＰＳが備えられ、ここに排水立て管２が立設されている。そして、洗濯機にて代表される水廻り機器１ａのトラップ１ａａに勾配を付して排水管（排水導管）３が敷設され、これが凹みＳＡ内にて排水立て管２に備えられた合流部２ａに接続されている。
【００２７】
一方、図５の（ｂ）は本発明の断面図であって、図５（ａ）はコンクリ−トスラブＳに形成されていた凹みＳＡがモルタルＳａにて埋め戻され、スラブＳ面を平坦にしたものである。そして、従来の部位とは異なる部位に洗濯機にて代表される水廻り機器１１ａが設置されたものであり、水廻り機器１１ａのトラップ１１ａａに排水導管１４ａが接続され、チャンバ−１３を介して接続されたサイフォン排水管１４をスラブＳ上に這わせた例である。
【００２８】
本発明は以上の通りであって、あえて特徴的にいえば、共用部分に排水立て管１２を新設すること、各水廻り機器からはチャンバ−１３を介してサイフォン排水管１４が敷設されたこと、からなるサイフォン排水システムを利用したリフォ−ム排水システムであって、水廻り機器の配置が自由に行われ、その排水の容量の変化（増加）にもチャンバ−１３の設置によって容易に対処可能となったものである。上記したように、本発明は排水をチャンバ−方式で敷設して、全体を二重床Ｆとして敷設するものであり、二重床Ｆの高さとしては、特にユニットバスのトラップの高さによるが、機能によっては１５０ｍｍ程度で構わない。更に二重床にして全面リフォ−ムにすることで、従来より天井に配管していたものを床下に配管にし、天井裏スぺ−スの省スぺ−ス化を行えるので、場合によっては全体の縦方向の居住空間を狭めることなく施工できる。
【産業上の利用可能性】
【００２９】
本発明は既存の建築物のリフォ−ムに適した排水システムが提供できたものであり、水廻り機器の配置の変更、増設、大型化に対応するリフォ−ム排水システムとなったもので、集合住宅のリフォ−ムには最適なシステムが提供できたものである。
【図面の簡単な説明】
【００３０】
【図１】図１はサイフォン排水システムの概要を示す図である。
【図２】図２は本発明の請求項５の工程によって構成される排水システム図である。
【図３】図３はリフォ−ム前の既存の排水システムの一例を示す平面図である。
【図４】図４は本発明のサイフォン式リフォ−ム排水システムを示す平面図である。
【図５】図５は排水システムの断面図である。
【符号の説明】
【００３１】
１ａ、１ｂ、１ｃ‥水廻り機器、
１ａａ‥水廻り機器１ａのトラップ、
２‥排水立て管、
２ａ‥排水立て管２の合流部、
３‥サイフォン排水管、
１１ａ、１１ｂ、１１ｃ‥新設の水廻り機器、
１１ａａ‥新設の水廻り機器１１ａのトラップ、
１２‥新設の排水立て管、
１３‥新設のチャンバ−、
１４‥新設のサイフォン排水管、
１５‥新設の通気管、
２０‥排水立て管、
２１‥水廻り器具、
２２‥サイフォン排水管、
Ｆ‥二重床、
Ｈｓ‥水頭差、
ＰＳ‥パイプシャフトスペ−ス、
Ｓ‥スラブ、
Ｓａ‥凹みＳＡを埋めるモルタル、
ＳＡ‥スラブ凹み。
【図１】
2008063763.tif 000003
【図２】
2008063763.tif 000004
【図３】
2008063763.tif 000005
【図４】
2008063763.tif 000006
【図５】
2008063763.tif 000007